(57)【要約】【課題】従来のネジ蓋は力の弱い人は開けにくいので、蓋の上面に、コインや箸棒などを差し込める溝穴を設けることで、テコの作用で簡単に開けられる蓋を提供する。【解決手段】  ネジ嵌合する容器２の蓋１を形成する上面４に、適度な幅と深さの溝穴６を、前記した蓋１の上面４の一方側端部から、中心部を経て対向側端部に至る溝穴６設けた蓋１を形成する。【選択図】図１
2007126213.tif 000002
【特許請求の範囲】
【請求項１】
ネジ嵌合する容器の蓋であって、前記する蓋の上面に適度な幅と深さの溝穴を、前記した蓋の一方側端部から中心部を経て対向側端部に至るように溝穴を設けた構成を特徴とする溝穴付き蓋。
【請求項２】
上記する蓋の上面に設ける溝穴が、大小異なる幅の溝穴を複数本交差するように設けて成る請求項１に記載する溝穴付き蓋。
【発明の詳細な説明】
【技術分野】
【０００１】  本発明は、水やお茶、ジュ−ス等を封入したペットボトルや、ジャム、梅、塩辛等を入れた瓶詰め容器や、薬や化粧品等を封入した様々な容器（以下、容器と称す）にネジ嵌合する蓋があるが、力の弱い高齢者や子供、手が不自由な人でも容易に開けられる溝穴付き蓋に関する。
【背景技術】
【０００２】  従来より、様々な飲料ボトルや瓶詰めなどの容器には、ネジ嵌合による蓋を備えたものが多く、その代表的なものとして、水やお茶、ジュ−スなどを入れた容器は、屋内外を問わず日常的に数多く消費されているが、その蓋には、スベリ止めとしてキャップ周囲に細かい溝を付けており、力のある大人は問題ないが、高齢者や子供のように力の弱い者にとっては容易に開けられないことが多く、その時は大人の手を借りて開けたり、また摩擦性があるゴムや皮素材を蓋に巻き付けて開けている。また専用のキャップオ−プナ−を用いて開けることもある。【０００３】  さらに力の弱い高齢者や子供でも開けやすくするために、ボトルキャップの直径を、ボトルの口より３０パ−セント以上大きくした技術が開示されている。（例えば、特許文献１参照）【０００４】
【特許文献１】特開２００２−９６８４９公報（第２頁、図１）
【発明の開示】
【発明が解決しようとする課題】
【０００５】  上記するような方法で蓋を開けているが、力の弱い高齢者や手の不自由な人がネジ蓋を開ける際は、蓋の周囲にスベリ止めの溝が付けられていても容易に開けられないし、助ける人が側に居ない場合はあきらめたりすることもあった。また摩擦部材のゴムや皮などを蓋に巻いて開ける場合はスベリにくいが、開ける力は必要であるので力の弱い者にとっては変わらないし、摩擦部材を探したり巻き付けたりする面倒や不便があった。さらに、専用のキャップオ−プナ−を使う場合でも、蓋の大きさや形など様々であるので、一つのキャップオ−プナ−で全てに対応できないなどの不便や欠点があった。【０００６】  さらに、公知公開される特開２００２−９６８４９公報による、お年寄りにも簡単に開けられるペットボトルのキャップの技術は、キャップの直径を、ペットボトルの口の直径より３０パ−セント以上大きくすることで、手でも回しやすくした技術であるが、搬送途中や自動販売機への出し入れの際にキャップが物に当たった際に回ってしまう恐れもあり、また、この程度を大きくしても出荷時は途中で緩まないようにしっかりと閉め付けているので、例え、キャップを通常より大きくしても力の弱い者や手の不自由な者には簡単に開けられない技術であった。
【課題を解決するための手段】
【０００７】  本発明は上記するような不便や欠点を解消するために、請求項１においては、ネジ嵌合する容器の蓋の上面に適度の幅と深さの溝穴を、前記した蓋の一方側端部から中心部を経て対向側端部に至るように設けた蓋を形成し、開ける際はコインや箸、棒等を前記する溝穴に嵌め込んで廻すことで、テコの作用を得て軽い力で蓋を取り外せるものとする。【０００８】  請求項２においては、前記する蓋の上面に設ける溝穴を、大小異なる幅の溝穴を複数本交差するように設けることによりコインで開けることはもとより、コインや箸棒等が存在しない際には、所定した前記の溝穴と幅の異なる溝穴を形成することによって、大小異なった溝穴が設けられることによって、いろいろな開ける方法で、コインや箸棒等の幅、もしくは略板状体等の幅に応じ、いずれの物でも嵌め込み回すことによって、楽に開けられる溝穴付き蓋を形成する。
【発明の効果】
【０００９】  本発明における実施例１の容器の蓋は、蓋の上面にコインや箸、棒、等を嵌める溝穴を設けているので、屋内外を問わず、常時携行されるコインや箸、棒、等の身近な物を嵌め込み廻すことにより、強く締め付けられ封印した蓋であっても容易に開けることができ、より大きい蓋等であれば略板状体等を嵌め込んでテコの作用を利用して廻すことによって、握力の弱い高齢者や子供、手が不自由な人の場合でも簡単に開けられる、従来には見られない機能的にしてユニークにして特異な蓋である。【００１０】  実施例２の容器には、コインや箸、棒など幅の狭い物を差込める溝穴に加え、形状大きさ異なる蓋であっても略板状体等を嵌め込む幅の広い溝穴２本を交差して十字状に設けているので屋内外の場所を問わず、いかなる場所にても開けられるユニークにして特異な蓋である。また、いずれの場合もタイプ、形はきわめてシンプルであり安価に製造できる。さらに蓋の外部には突起部を形成しないので、安心、容易に取り扱え、自動販売機に入れて販売する場合でも引っ掛かる要素がない容器の蓋である。加えて、飲料容器以外に、ジャム、や梅塩辛などを封入した瓶詰め食品の蓋や、薬や化粧品等のあらゆるネジ蓋付き容器に限定をされない程、広く多様に使用ができる。さらに蓋の開け方も、寝たきり状態の人や身障者の場合には、容器を横にして、溝穴に嵌めても開けられる。またコインを嵌めて廻して開ける以外に、溝穴に嵌めて容器の方を廻して開けられるなどいずれの方法でも効果的に開けられるネジ溝付き蓋を提供できる。
【発明を実施するための最良の形態】
【００１１】  蓋がネジ嵌合による容器において、力の弱い高齢者や子供、手の不自由な人でも簡単に、容器の蓋を取り外せるために、蓋の上面の溝穴にコインや箸、棒等を嵌め込んでテコの作用を得て軽く廻して取り外せる溝付き蓋とする。
【実施例１】
【００１２】  本発明による実施例１の蓋を、図１の示す斜視図と図２に示す断面図、図３の容器のを開ける使用状態図、図４の他の使用状態図を示す参考図で説明をする。
実施例１における蓋１は、容器２の口にネジ嵌合するものであって、蓋１の内側に内ネジ３を有する上面４を厚くし、上面４の一方側端部から中心部を経て他方側端部までコイン５や箸、棒等が嵌まる適度な幅と深さの溝穴６を直線状に設けて成る蓋１を構成する。【００１３】  実施例１の蓋１の上面４には、コイン５や箸、棒等を嵌める適度な幅と深さの溝穴６を設けているので、蓋１を開ける際は、図３、図４に示すように、一方の手で容器２を握り、他方の手で持ったコイン５や箸、棒等を前記した溝穴６に嵌め込んで回すと、テコの作用を得て軽い力で廻せるため、力の弱い高齢者や子供でも簡単に蓋１を廻して取り外せる。
【実施例２】
【００１４】  実施例２の蓋を図５に示す斜視図で説明する。
実施例２の蓋１は、前記した実施例１のように内ネジ３付き（図示せず）の蓋１の上面４に実施例１のような適度な幅の狭い溝穴６を設けるとともに、前記溝穴６より幅が異なる広い、例えば、略板状体等が嵌められる幅と深さの溝穴６ａと交差して十字状になるように設けて成る蓋１を構成する。【００１５】  実施例２に示す蓋１は、上面４に適度な幅の狭い溝穴６とともに、略板状体などを嵌め込められる幅の異なる広い溝穴６ａを交差させて十字状にして設けているので、コイン５や箸、棒、等でも開けられるが、前記コインが手元にない場合、さらに、コインが小さくて開けにくい場合には、略板状体を嵌め込んでから廻すと、実施例１と同様にテコの作用を得て軽い力で蓋１を取り外せる複合タイプが可能である。【００１６】  本発明による蓋１は合成樹脂製であるが、金属製であっても差し障えず、また上面４に設ける溝穴６，６ａの幅や深さはもとより、さらに異なる幅のものを２本以上設けても構わないものであり、いずれも特に限定をされるものではない。
【産業上の利用可能性】
【００１７】  本発明はネジ嵌合する飲用容器の蓋を対象に図示説明をしているが、これら以外に例えば、ストーブの給油口の蓋、各種収納容器の蓋、水筒の蓋、懐中電灯の蓋、機器の蓋、その他あらゆる容器に係らず、ネジ嵌合する全ての蓋にも適用できるものとする。
【図面の簡単な説明】
【００１８】
【図１】実施例１の蓋を示す斜視図である。
【図２】実施例２の蓋を示す断面図である。
【図３】実施例１の蓋を、容器から取り外す使用状態を示す参考図である。
【図４】実施例１の蓋を、容器から取り外す他の使用状態を示す参考図である。
【図５】実施例２の蓋を示す斜視図である。
【符号の説明】
【００１９】１  蓋
２  容器
３  内ネジ
４  上面
５  コイン
６  溝穴
６ａ溝穴
７  略板状体
【図１】
2007126213.tif 000003
【図２】
2007126213.tif 000004
【図３】
2007126213.tif 000005
【図４】
2007126213.tif 000006
【図５】
2007126213.tif 000007